(57)【特許請求の範囲】
【請求項１】
主表面及び該主表面の反対側の裏面を有する帯状の基部と、該基部の該主表面に設けられる係合部と、該基部の該裏面に設けられる埋込部とを具備し、該埋込部を介して物体に一体的に取付けられるようになっているファスナーにおいて、
前記埋込部は、前記基部の長手方向へ互いに間隔を空けて離散的に配置され、各々が該基部の幅方向へ該基部から張り出す複数の張出要素を具備し、
前記張出要素の各々が、前記基部に着脱可能に設置されること、
を特徴とするファスナー。
【請求項２】
前記複数の張出要素は、前記基部の長手方向へ等間隔に配置され、該張出要素が該基部の両側方へ対称に張り出す、請求項１に記載のファスナー。
【請求項３】
前記張出要素の各々が、前記基部の前記裏面から離れた側で該裏面に平行に延びる略平坦な外面を有する、請求項１又は２に記載のファスナー。
【発明の詳細な説明】
【０００１】
【発明の属する技術分野】
本発明は、帯状の基部の裏面に設けた埋込部を介して物体に一体的に取付けられるファスナーに関する。
【０００２】
【従来の技術】
乗物用座席、事務用又は家庭用の椅子、マットレス等の、例えば発泡性樹脂材料の成形体からなるクッション性を有する芯材と、芯材の表面を被覆する布帛や皮革等からなる柔軟な被覆材とを備えた物品において、被覆材を芯材に固着するために、基部の一面すなわち主表面に複数の係合要素を配設した対面係合式のファスナー（いわゆる面ファスナー）を使用することは知られている。特に、座席や椅子等の物品では、使用者に高水準の安楽性を提供する事が望まれるので、被覆材を芯材に固着する固着手段として、被覆材の縫目等に沿って芯材表面に凹設した細長い溝に配置可能な可撓性を有した帯状のファスナーが利用される傾向にある（例えば特開平１１−１２７９１５号公報参照）。このような使用形態で、帯状ファスナーは、その係合要素群が、被覆材に設けられた繊維ループ等の相手方係合部に着脱可能に係合することにより、被覆材を芯材に固着する。
【０００３】
この種の帯状ファスナーを、係合要素群を露出させた状態で芯材表面の所望位置に固定的に設置するためには、成形主体である芯材の型内にファスナーをインサートとして配置し、芯材の成形と同時にファスナーを芯材に固定するインサート成形法を有利に適用できる。このインサート成形法においては、成形主体の型内に、ファスナーを予め定めた姿勢に保持する伸長レール状のガイドが敷設される。ガイドは通常、ファスナーの基部及び係合要素群を収容可能な伸長形の溝部を有し、ファスナーは、この溝部に係合要素群及び基部を挿入して、基部の裏面（主表面の反対側の面）を露出した状態でガイドに据付けられる。
【０００４】
ファスナーの基部の裏面には、インサート成形工程を経て成形主体に固定的に埋め込まれる埋込部が設けられており、したがってファスナーは、埋込部を介して成形主体に一体的に取付けられる。埋込部は従来、基部の裏面に直立状に立設される複数のポストと、各ポストの先端に形成され、裏面に対し略平行に延びる薄板状のアンカーとを備えて構成される。各アンカーは、基部の裏面上で幅方向へ食み出さない小判状の輪郭を有する。成形主体は、基部の裏面に隣接してそれら複数のポスト及びアンカーを取り囲む形態に成形され、それにより、各アンカーが成形主体に食い込んだ状態となって、ファスナーが成形主体に固定される。
【０００５】
【発明が解決しようとする課題】
上記した従来の帯状ファスナーにおいては、係合要素群が発揮する相手方係合部との所望水準の固着力を確保するだけでなく、埋込部を介した物体（成形主体）に対する取付強度を十分に確保する必要がある。特にファスナーが、前述した座席や椅子等で被覆材を芯材に固着する固着手段として使用される形態を考慮すると、着座者の重心の頻繁かつ急激な移動により被覆材に張力が断続的に負荷されたり、交換等の目的で意図的に被覆材を芯材から剥がしたりするときに、ファスナーと芯材との相互連結部位の破壊を防止すべく、係合要素群が発揮する固着力よりも埋込部が発揮する取付強度の方が大きいことが要求される。このような観点から、従来の帯状ファスナーにおいて、それ自体が本来有する可撓性を損なうことなく、埋込部による物体への取付強度を可及的に向上させることが課題となっている。
【０００６】
したがって本発明の目的は、帯状の基部の裏面に設けた埋込部を介して物体に一体的に取付けられるファスナーにおいて、ファスナー自体が本来有する可撓性を損なうことなく、埋込部による物体への取付強度を可及的に向上させることができるファスナーを提供することにある。
【０００７】
【課題を解決するための手段】
上記目的を達成するために、請求項１に記載の発明は、主表面及び主表面の反対側の裏面を有する帯状の基部と、基部の主表面に設けられる係合部と、基部の裏面に設けられる埋込部とを具備し、埋込部を介して物体に一体的に取付けられるようになっているファスナーにおいて、埋込部は、基部の長手方向へ互いに間隔を空けて離散的に配置され、各々が基部の幅方向へ基部から張り出す複数の張出要素を具備し、張出要素の各々が、基部に着脱可能に設置されることを特徴とするファスナーを提供する。
【０００９】
請求項２に記載の発明は、請求項１に記載のファスナーにおいて、複数の張出要素は、基部の長手方向へ等間隔に配置され、張出要素が基部の両側方へ対称に張り出すファスナーを提供する。
請求項３に記載の発明は、請求項１又は２に記載のファスナーにおいて、張出要素の各々が、基部の裏面から離れた側で裏面に平行に延びる略平坦な外面を有するファスナーを提供する。
【００１０】
【発明の実施の形態】
以下、添付図面を参照して、本発明の実施の形態を詳細に説明する。全図面に渡り、対応する構成要素には共通の参照符号を付す。
図１〜図４は、本発明の関連技術によるファスナー１０を示す。ファスナー１０は、多方向の可撓性を有する対面係合式のファスナーであり、主表面１２及びその反対側の裏面１４を有する帯状の基部１６と、基部１６の主表面１２に設けられる係合部１８と、基部１６の裏面１４に設けられる埋込部２０とを備えて構成される。
【００１１】
基部１６は、長手方向へ互いに離間して整列配置される複数の箱状部２２と、それら箱状部２２を相互に一体的に連接する複数の連接部２４とを備える。各箱状部２２は、互いに略平行に延びる平坦な上板部分２６及び下板部分２８と、それら上下板部分２６、２８を互いに接続する一対の側板部分３０と、それら板部分２６、２８、３０の間で長手方向へ延びる仕切板部分３２とを備えた実質的中空構造を有する。基部１６の主表面１２は、複数の箱状部２２の上板部分２６によって形成される。また、基部１６の裏面１４は、複数の箱状部２２の下板部分２８と複数の連接部２４との協働によって形成される。
【００１２】
係合部１８は、基部１６の主表面１２に規則的離間配置で立設される複数の係合要素３４を備える。それら係合要素３４は、基部１６を構成する複数の箱状部２２の上板部分２６に、同一個数（図では７個）ずつ同一配列で設けられる。各係合要素３４は、各箱状部２２の上板部分２６から略直立状に突出する脚部３６と、脚部３６の先端近傍にて側方へ突設される複数（図では４個）の係合片３８とを備える。ファスナー１０は、係合部１８の複数の係合要素３４が各々の先端の係合片３８にて、他物体に設けた対応の係合部に摩擦係合することにより、他物体に着脱可能に固着される。なお、基部１６の所望（図では長手方向両端）の箱状部２２で、係合要素３４を省略することもできる。
【００１３】
各箱状部２２の下板部分２８には、その長手方向略中央に、横断方向へ延びるスリット４０が形成される。さらに下板部分２８には、スリット４０を横切って長手方向へ延びる１本のリブ４２が、基部１６の全長に渡って裏面１４上に突設される。リブ４２には、各箱状部２２に対して２個ずつ、リブ４２に沿って延びる薄板状のポスト４４が、裏面１４に対し直立状に立設される。各ポスト４４の先端には、裏面１４に対し略平行に延びる薄板状のアンカー４６が形成される。各アンカー４６は、基部１６の裏面１４上で幅方向へ食み出さない小判状の輪郭を有する。これら複数のポスト４４及びアンカー４６は、ファスナー１０を所望の物体に固定的に取付けるための埋込部２０として機能する。
【００１４】
上記構成を有するファスナー１０は、中空構造の各箱状部２２における応力分散作用により、基部１６を水平方向すなわち主表面１２及び裏面１４に略平行な方向へ全体として比較的容易に撓曲することができる。また、薄肉の各連接部２４の蝶番作用により、基部１６を鉛直方向すなわち主表面１２及び裏面１４に略直交する方向へ全体として比較的容易に撓曲することができる。このようにファスナー１０は、基部１６を水平方向及び鉛直方向のいずれにも容易に撓曲できるので、多様な立体的表面を有する物体の所望の表面部位に、基部１６を三次元的に正確に追従させて設置することができる。なお、好ましくはファスナー１０は、ナイロン、ポリプロピレン等の樹脂材料から一体的に形成される。
【００１５】
本発明の関連技術によるファスナー１０の特徴的構成として、埋込部２０はさらに、基部１６の長手方向へ互いに間隔を空けて離散的に配置される複数の張出要素４８を備える。図示構成では、それら張出要素４８はいずれも棒状の形態を有し、各々の長手方向一端で、基部１６の裏面１４に設けたアンカー４６の外周縁に一体的に連結されて、裏面１４に略平行に基部１６の実質的幅方向へ延設される。また、各張出要素４８はその自由端領域で、基部１６の側方へ所定長さに渡って張り出す寸法を有する。
【００１６】
図１〜図３に示す構成では、複数の張出要素４８は、基部１６の裏面１４に長手方向略等間隔配置で設置された複数のアンカー４６の各々に２個ずつが連結され、アンカー４６の両側縁から基部１６の両側方へ対称に張り出すように形成される。その結果、それら張出要素４８は、基部１６の長手方向へ等間隔に、かつ基部１６の両側方で互いに対称的に配置される。この構成では、後述するように埋込部２０を介してファスナー１０を物体に取付けたときに、複数の張出要素４８がファスナー１０の全体に渡って一様に平衡した取付強度を発揮する。
【００１７】
或いは図４に示すように、基部１６の裏面１４に設置した複数のアンカー４６のうち、所望のアンカー４６のみに張出要素４８を形成することもできる。この場合、張出要素４８を形成したアンカー４６に対応する部位で、埋込部２０が発揮する物体に対する基部１６の取付強度を局部的に増加することができる。なお、基部１６の幅方向に関する取付強度の平衡性を著しくは損なわないように配置することを前提に、各アンカー４６に１個ずつの張出要素４８を形成することもできる。
【００１８】
ファスナー１０は、図４に示すガイド５０を用いた後述するインサート成形工程を経て、所望形状の成形主体に一体的に取付けられる。
【００１９】
ガイド５０は、ファスナー１０を所望長さに渡って支持するレール状ブロック体であり、底壁部５２と、底壁部５２の長手方向へ延びる両縁に沿って底壁部５２から一体的に立設される一対の側壁部５４とを備える。これら底壁部５２及び一対の側壁部５４は、ファスナー１０の基部１６及び複数の係合要素３４を収容可能な１条の溝部５６を、ガイド５０の全長に渡って形成する。両側壁部５４は、ガイド５０の全長に渡って一様な間隔で互いに対向する内面５４ａをそれぞれに有する。底壁部５２は、ガイド５０の長手方向両端領域にて両側壁部５４の内面５４ａに直交する一対の封止面５２ａと、各側壁部５４の内面５４ａに隣接してガイド５０の長手方向へ延設される一対の補助支持面５２ｂとを有する。溝部５６は、それら封止面５２ａ及び補助支持面５２ｂの上方で両側壁部５４の内面５４ａの間にファスナー１０の基部１６を収容可能な第１部分５６ａと、それら封止面５２ａ及び補助支持面５２ｂの下方でファスナー１０の複数の係合要素３４を収容可能な第２部分５６ｂとに、機能上で分割される。
【００２０】
両側壁部５４の内面５４ａの相互間隔は、支持対象物であるファスナー１０の基部１６の幅方向寸法と略同一に形成される。したがって、ガイド５０の溝部５６にファスナー１０を適正に収容したときに、各側壁部５４の内面５４ａは、溝部５６の第１部分５６ａに受容されたファスナー１０の基部１６の長手方向へ延びる側縁に密接する。また、底壁部５２の一対の封止面５２ａは、ファスナー１０の長手方向両端の箱状部２２（係合要素３４を有しない）における主表面１２に実質的に密に当接される。
【００２１】
このようにしてガイド５０は、溝部５６の第１部分５６ａにファスナー基部１６を嵌め込むとともに、溝部５６の第２部分５６ｂにファスナー係合部１８の係合要素群３４を収容した状態で、ファスナー１０を摩擦力により所定の姿勢に保持することができる。その結果、ガイド５０にファスナー１０を支持した状態で成形主体を成形する際に、溝部５６の第２部分５６ｂ内への液状材料の浸入が防止される。またファスナー１０は、ガイド５０に適正に保持された状態で、係合部２０の複数の張出要素４８が、それらの自由端領域でガイド５０の両側壁５４を越えて外方へ突出するようになっている。なおガイド５０は、例えばアルミニウム、アルミニウム合金、鉄等の金属棒状素材から切削加工により一体的に作製できる。
【００２２】
図５は、ガイド５０を用いたインサート成形工程により、ファスナー１０を成形主体５８に一体的に取付けてなる物品６０を例示する。図示の例では、物品６０は乗物用座席を構成し、成形主体５８はポリウレタン等の発泡性樹脂材料からなる芯材を構成する。この構成では、複数のファスナー１０が、布帛や皮革等からなる被覆材６２を成形主体５８に固着する固着手段として機能する。各ファスナー１０は、被覆材６２の所望の縫目６２ａに沿う位置で成形主体５８の表面に凹設される細長い凹所６４に固定的に配置される。
【００２３】
インサート成形工程に際しては、成形主体５８の型（図示せず）内に、物品６０に装備すべきファスナー１０の個数に対応した個数のガイド５０が、成形主体５８の表面上でのそれらファスナー１０の配置に対応した配置で敷設される。各ガイド５０は、その溝部５６（図４）を型の空隙部に向けて、型の成形面にパテ、ボルト、磁石等の固定手段により固定される。各ファスナー１０は、係合部１８の複数の係合要素３４をガイド５０の溝部５６の第２部分５６ｂに挿入するとともに、基部１６の複数の箱状部２２をガイド５０の溝部５６の第１部分５６ａに嵌入して、対応のガイド５０に据付けられる。それにより、各ファスナー１０の基部１６の裏面１４と、裏面１４に突設したリブ４２及び埋込部２０（複数のポスト４４、アンカー４６及び張出要素４８）が、型の空隙部に露出して配置される。
【００２４】
この状態で、型の空隙部に成形主体５８の発泡性液状樹脂材料を供給する。この間、前述したようにファスナー１０の基部１６がガイド５０の各一対の内面５４ａ、封止面５２ａ及び補助支持面５２ｂに密接して、ガイド５０の溝部５６の第２部分５６ｂへの液状樹脂材料の浸入を阻止する。その後、液状樹脂材料を発泡固化させて成形主体５８を成形すると、成形主体５８の表面には、型の空隙部内で各ガイド５０が占有していた空間に相当する位置に、それぞれ凹所６４が形成される。
【００２５】
そして、図６に拡大して示すように、各凹所６４内でファスナー１０は、基部１６（主表面１２を除く）及び埋込部２０（複数のポスト４４、アンカー４６及び張出要素４８）が成形主体５８に埋設され、それにより、係合部１８の複数の係合要素３４を各凹所６４の内部空間に露出させた状態で成形主体５８に固定される。この状態で各ファスナー１０は、各凹所６４内に露出する複数の係合要素３４が、被覆材６２の縫目６２ａの裏面に形成した例えば繊維ループ群からなる対応の係合要素６６に着脱可能に係合し、それにより、被覆材６２を成形主体５８の表面に固着する（図７参照）。
【００２６】
上記インサート成形工程を経て、成形主体５８は、ファスナー１０の埋込部２０を構成する複数のポスト４４、アンカー４６及び張出要素４８を、実質的に取り囲む形態に成形される。このとき、ファスナー１０の基部１６の両側方に張り出す複数の張出要素４８は、成形主体５８の凹所６４からさらに外側の成形部分に食い込んだ状態になる（図６及び図７）。その結果、埋込部として基部から食み出さない小判状のアンカーを有する従来のファスナーに比べ、十分に大きな取付強度の下で、ファスナー１０が成形主体５８に固定される。したがってファスナー１０によれば、例えば上記した乗物用座席での使用時に、着座者の重心の頻繁かつ急激な移動に伴い意図せず被覆材６２に加わる張力や、交換等の目的で意図的に被覆材６２に加わる張力の下で、ファスナー１０と成形主体５８との相互連結部位（埋込部２０の周囲の成形材料部分）の破壊を確実に防止することができ、以って、被覆材６２がファスナー１０から正確かつ安定的に脱離されるようになる。また、インサート成形工程後に成形主体５８を型から取り出すときにも、ガイド５０からファスナー１０が円滑に脱離されるので、成形主体５８の取り出しが容易になる利点がある。
【００２７】
しかもファスナー１０においては、複数の張出要素４８が、基部１６の長手方向へ互いに間隔を空けて離散的に配置されるので、それら張出要素４８の存在が基部１６の前述した三次元的撓曲自在性を損なうことは回避される。また、個々の張出要素４８は、基部１６の裏面１４に配設された埋込部２０の寸法を幅方向へ拡大したものであるから、上記した乗物用座席への適用のような、使用者が触感でファスナー１０の存在を認識し得る用途でも、その触感を損なうことなく、埋込部２０によるファスナー取付強度を可及的に向上させることができる。さらに、複数の張出要素４８は、例えば射出成形工程により基部１６に一体的に形成できるので、部品点数の増加を回避することができる。
【００２８】
本発明に係るファスナーの埋込部に設けられる張出要素は、上記した所要の取付強度を確保し得ることを前提に、様々な形状を有することができる。特に図８に示すように、小判状輪郭のアンカー４４に丸棒（円柱又は楕円柱）状の張出要素４８を連結した構成は、アンカー４４自体が、基部１６の裏面１４から離れた側で裏面１４に平行に延びる略平坦な外面４４ａを有することにより、前述したガイド５０に対するファスナー据付作業時に以下の効果を奏する。すなわち、作業者がファスナー１０を前述したガイド５０に手作業で据え付ける際に、ファスナー１０の長手方向へ互いに隣接して整列配置される複数のアンカー４４の表面４４ａに、指や治具を当接して長手方向へ円滑に摺動させることができる。このような円滑な摺動操作により、ファスナー１０の基部１６をガイド５０の溝部５６に迅速かつ漸進的に押し込むことができる。
【００２９】
なお、図９に示すように、小判状のアンカー４４を省略して、アンカー機能部分の全体を棒状の張出要素６８から構成したり、図１０に示すように、全体として矩形板状の張出要素７０を採用したり、図１１に示すように、全体として菱形の板状張出要素７２を採用したりすることもできる。
【００３０】
また、前述した実施形態において、所要の取付強度を確保するための基部１６と張出要素４８との寸法関係は、以下のように選定できる。例えば、ファスナー１０の長手方向における基部１６と張出要素４８との寸法関係は、基部１６の１つの箱状部２２の長手方向寸法Ａと個々の張出要素４８の幅Ｂとで表したときに（図２）、０．１≦Ｂ／Ａ≦０．４の範囲にあることが望ましい。また、ファスナー１０の幅方向における基部１６と張出要素４８との寸法関係は、基部１６の幅方向寸法Ｃと一対の張出要素４８の両端間距離Ｄとで表したときに（図３）、１≦Ｄ／Ｃ≦６の範囲で選定することが望ましい。
【００３１】
本発明に係るファスナーの複数の張出要素は、基部に一体的に形成される上記構成に代えて、基部に着脱可能に設置される構成を有する。図１２は、そのような張出要素７４を有する別体のアンカー部材７６を備えた本発明の実施形態によるファスナー７８を示す。なおファスナー７８は、張出要素７４の構成以外は、前述したファスナー１０と実質的同一の構成を有するので、対応する構成要素には共通の参照符号を付してその説明を省略する。
【００３２】
図１３に示すように、アンカー部材７６は、略二等辺三角形の輪郭を有する平板状の一対の張出要素７４と、それら張出要素７４を、それぞれの頂角部位を反対側に向けた対称配置で相互に連結する角棒状の梁部分８０と、両張出要素７４の間で梁部分８０の長手方向略中央に形成される平板状の装着部分８２とを一体的に備える。装着部分８２には、梁部分８０の両側方へ突出する二組の掛着要素８４、８６が形成される。一組の掛着要素８４、８６は、略直角三角形輪郭の小寸の掛着要素８４と、略矩形輪郭の大寸の掛着要素８６とから構成される。両掛着要素８４、８６は、小寸の掛着要素８４の斜辺部分が大寸の掛着要素８６から離れた側に位置するとともに、両掛着要素８４、８６の間に、ファスナー７８の基部１６の裏面１４に設けたポスト４４の厚みよりも僅かに大きな間隙を形成するように配置される。二組の掛着要素８４、８６は、梁部分８０を中心として互いに対称に配設される。
【００３３】
アンカー部材７６は、その梁部分８０を、ファスナー７８の基部裏面１４に設けたリブ４２に略直交する方向へ向けた相対配置で、ファスナー７８の裏面１４側に着脱自在に装着される。すなわち、アンカー部材７６の梁部分８０は、ファスナー７８の基部裏面１４に設けた小判状の隣り合う一対のアンカー４６の間に挿入され、梁部分８０の長手方向略中央に形成した装着部分８２が、それらアンカー４６を支持する一対のポスト４４に掛着される（図１２）。ここで、装着部分８２は、一対の小寸の掛着要素８４の斜辺部分を最初に両ポスト４４に当接するようにして、それらポスト４４の間に押圧力下で挿入される。それにより、両ポスト４４の弾性変形を伴いつつ、各組の掛着要素８４、８６間の間隙に対応のポスト４２がスナップ式に嵌入される。このようにして、アンカー部材７６がファスナー７８の基部裏面１４に適正に装着されると、一対の張出要素７４がそれらの全体で、基部１６の幅方向両側に突出して配置される。
【００３４】
上記構成を有するファスナー７８は、前述したインサート成形工程を経て、成形主体５８（図６）に一体的に取付けられる。このとき、ファスナー７８の複数のポスト４４及びアンカー４６が成形主体５８に埋め込まれるとともに、隣り合う一対のポスト４４に装着されたアンカー部材７６の特に両張出要素７４が、図６に示す張出要素４８と同様に、成形主体５８に深く食い込んだ状態になる。その結果、埋込部として基部から食み出さない小判状のアンカーを有する従来のファスナーに比べ、十分に大きな取付強度の下で、ファスナー７８が成形主体５８に固定される。このように、ファスナー７８によっても、前述したファスナー１０と同等の作用効果が奏されることは理解されよう。
【００３５】
さらにファスナー７８によれば、既存の構成を有するファスナー基部に対して、所望の長手方向位置に所望個数のアンカー部材７６を選択的に装着できる利点がある。この構成によれば、ファスナー７８を適用する物品において要求される成形主体へのファスナー取付強度が、その取付場所によってまちまちな場合にも、最適なファスナー取付強度を容易に獲得することができる。
【００３６】
本発明に係るファスナーの埋込部に装着されるアンカー部材の張出要素は、上記した所要の取付強度を確保し得ることを前提に、様々な形状を有することができる。例えば図１４に示すように、略矩形輪郭を有する平板状の張出要素８８と、張出要素８８の長手方向全長に渡って延設される角棒状の梁部分９０と、張出要素８８の長手方向略中央に形成される装着部分９２とを一体的に備えるアンカー部材９４を採用することもできる。アンカー部材９４の装着部分９２には、張出要素８８の両側方へ突出する二組の掛着要素８４、８６が形成され、前述したアンカー部材７６と同様にして、それら掛着要素８４、８６がファスナー７８の一対のポスト４４に掛着される。アンカー部材９４がファスナー７８の基部裏面１４に適正に装着されると、張出要素８８がその長手方向両端近傍領域で、基部１６の幅方向両側に突出して配置される。
【００３７】
【実施例】
本発明に係るファスナーの取付強度の向上効果を明らかにするために、図１に示すファスナー１０に関して、成形主体に取付けた状態での剥離試験を実施した。具体的には、基部１６の全長が２５０mm、基部１６の全幅が８．５mm、一対の張出要素４８の両端間距離Ｄ（図３）が３０mmのファスナー１０を用意し、図５に示す成形主体５８（乗物用座席の座部）にインサート成形工程を経て一体的に取付けた（図６）。その状態で、ファスナー１０の基部１６の長手方向一端に、成形主体５８の凹所６４の底面に対し直角方向への引っ張り力を加え、ファスナー１６の埋込部２０が成形主体５８から引き離されたときの力を取付強度として測定した。測定された取付強度は、約４０Ｎであった。
【００３８】
これに対し、比較例として、基部から食み出さない小判状のアンカーを有する従来のファスナーに関し、同様の剥離試験を実施した。この従来ファスナーは、張出要素４８を備えないこと以外は、上記した試験対象のファスナー１０と同一の構成を有するものであった。この従来ファスナーで測定された取付強度は、約２０Ｎであった。
【００３９】
【発明の効果】
以上の説明から明らかなように、本発明によれば、帯状の基部の裏面に設けた埋込部を介して物体に一体的に取付けられるファスナーにおいて、ファスナー自体が本来有する可撓性を損なうことなく、埋込部による物体への取付強度を可及的に向上させることができる。
【図面の簡単な説明】
【図１】  本発明の関連技術によるファスナーの一部分を拡大して示す斜視図である。
【図２】図１のファスナーの一部分を示す平面図である。
【図３】図１のファスナーの一部分を示す底面図である。
【図４】図１のファスナーを据え付けるガイドをファスナーと共に示す概略斜視図である。
【図５】図１のファスナーを装備した物品の一例を示す斜視図である。
【図６】図５の物品におけるファスナー取付部分の断面図で、ファスナー非作用時の状態を示す。
【図７】図５の物品におけるファスナー取付部分の断面図で、ファスナー作用時の状態を示す。
【図８】図１のファスナーにおける張出要素の好適な例を示す図で、（ａ）平面図、及び（ｂ）側面図である。
【図９】図１のファスナーにおける張出要素の変形例を示す図で、（ａ）平面図、及び（ｂ）側面図である。
【図１０】図１のファスナーにおける張出要素の他の変形例を示す図で、（ａ）平面図、及び（ｂ）側面図である。
【図１１】図１のファスナーにおける張出要素のさらに他の変形例を示す図で、（ａ）平面図、及び（ｂ）側面図である。
【図１２】  本発明の実施形態によるファスナーの一部分を拡大して示す一部切欠平面図である。
【図１３】図１２のファスナーにおける張出要素を有したアンカー部材の図で、（ａ）平面図、及び（ｂ）正面図である。
【図１４】図１２のファスナーにおける張出要素を有したアンカー部材の変形例の図で、（ａ）平面図、及び（ｂ）正面図である。
【符号の説明】
１０、７８…ファスナー
１２…主表面
１４…裏面
１６…基部
１８…係合部
２０…埋込部
３４…係合要素
４４…ポスト
４６…アンカー
４８、６８、７０、７２、７４、８８…張出要素
５０…ガイド
５６…溝部
５８…成形主体
６０…物品
６２…被覆材
７６、９４…アンカー部材
【図１】
0003939155.tif 000002
【図２】
0003939155.tif 000003
【図３】
0003939155.tif 000004
【図４】
0003939155.tif 000005
【図５】
0003939155.tif 000006
【図６】
0003939155.tif 000007
【図７】
0003939155.tif 000008
【図８】
0003939155.tif 000009
【図９】
0003939155.tif 000010
【図１０】
0003939155.tif 000011
【図１１】
0003939155.tif 000012
【図１２】
0003939155.tif 000013
【図１３】
0003939155.tif 000014
【図１４】
0003939155.tif 000015